(57)【特許請求の範囲】
【請求項１】
光を発生する複数のランプ及び前記複数のランプの電極部に結合されるランプホルダー部で構成されるランプアセンブリと、
底面及び前記底面から延長された１個以上の側壁で構成され、前記ランプホルダー部との結合により前記ランプアセンブリを収納するボトムシャーシと、
前記ランプホルダー部をカバーする第１収納部材と、
前記第１収納部材と前記ボトムシャーシとの間に形成され、前記ランプホルダー部と結合されて前記ランプアセンブリを固定し、一部は前記ボトムシャーシと結合されて前記ランプから発生する熱を放出する放熱部材と、
を含むバックライトアセンブリ。
【請求項２】
前記ランプホルダー部は、複数のランプホルダーで構成され、前記各ランプホルダーには、２個以上のランプ電極部が結合されることを特徴とする請求項１記載のバックライトアセンブリ。
【請求項３】
前記ランプホルダーは内側面に形成され、前記２個以上のランプ電極部がそれぞれ結合される２個以上の挿入口を含むことを特徴とする請求項２記載のバックライトアセンブリ。
【請求項４】
前記ランプホルダーは、前記ボトムシャーシとの結合のために、その底面に第１結合溝が形成されたことを特徴とする請求項２記載のバックライトアセンブリ。
【請求項５】
前記ボトムシャーシは、前記底面から延長され形成され、前記第１結合溝に挿入される第１突出部を更に含むことを特徴とする請求項４記載のバックライトアセンブリ。
【請求項６】
前記ボトムシャーシは、底面に第１開口部が形成され、前記第１開口部は、前記ランプホルダーの下に位置することを特徴とする請求項４記載のバックライトアセンブリ。
【請求項７】
前記ボトムシャーシは、前記１個以上の側壁のうち、前記ランプホルダーが隣接して配置される側壁に第２開口部が形成されたことを特徴とする請求項６記載のバックライトアセンブリ。
【請求項８】
前記第２開口部は、前記第１開口部と互いに連結されたことを特徴とする請求項７記載のバックライトアセンブリ。
【請求項９】
前記ランプホルダーは、前記放熱部材との結合のために、上部面に第２結合溝が形成されたことを特徴とする請求項２記載のバックライトアセンブリ。
【請求項１０】
前記放熱部材は、
前記第２結合溝に挿入される第２突出部が形成された第１放熱部と、
前記第１放熱部から延長されて前記ボトムシャーシと接触される第２放熱部と、
を含むことを特徴とする請求項９記載のバックライトアセンブリ。
【請求項１１】
前記ボトムシャーシの１個以上の側壁のうち、前記ランプアセンブリが隣接して配置される側壁は、
前記底面から延長された第１側面と、
前記第１側面から延長され前記底面と平行な上部面と、
前記上部面から延長されて前記第１側面と向かい合う第２側面と、
で構成されることを特徴とする請求項１０記載のバックライトアセンブリ。
【請求項１２】
前記第２放熱部は、
前記第１放熱部から延長され前記第１側面と接触される第１放熱板と、
前記第１放熱板から延長され前記上部面と接触される第２放熱板と、
で構成されることを特徴とする請求項１１記載のバックライトアセンブリ。
【請求項１３】
前記第１収納部材に取り付けられる光学部材と、
前記光学部材の離脱を防止する第２収納部材と、
を更に含むことを特徴とする請求項１記載のバックライトアセンブリ。
【請求項１４】
前記第１収納部材は、
前記ランプホルダー部の内側面をカバーする第１カバー面と、
前記ランプホルダー部の上側面をカバーする第２カバー面と、
で構成されることを特徴とする請求項１３記載のバックライトアセンブリ。
【請求項１５】
前記第２カバー面は、空気の流れのために一定の高さで陥没した第１流路を含むことを特徴とする請求項１４記載のバックライトアセンブリ。
【請求項１６】
前記第１流路は、前記ランプホルダー部の１つのランプホルダーに共に結合される電極部の間に位置するように形成されることを特徴とする請求項１５記載のバックライトアセンブリ。
【請求項１７】
前記第１流路は、前記第１カバー面から一定距離だけ延長され、前記第１流路の端には、第１通風口が形成されることを特徴とする請求項１６記載のバックライトアセンブリ。
【請求項１８】
前記放熱部材は、空気の流れのために前記第１通風口の位置に対応する第２通風口が形成されたことを特徴とする請求項１７記載のバックライトアセンブリ。
【請求項１９】
前記ランプホルダー部は、空気の流れのために上側面から一定高さで陥没し、前記第１流路の位置に対応する第２流路が形成されたことを特徴とする請求項１８記載のバックライトアセンブリ。
【請求項２０】
前記第１収納部材は前記第２カバー面に形成され、前記光学部材の流動を防止するための第１ボスを更に含むことを特徴とする請求項１３記載のバックライトアセンブリ。
【請求項２１】
光を発生する複数のランプ及び前記複数のランプの電極部に結合されるランプホルダーで構成されるランプアセンブリ、前記ランプホルダーとの結合により前記ランプアセンブリを収納するボトムシャーシ、前記ランプホルダーをカバーする第１収納部材と、及び前記第１収納部材と前記ボトムシャーシとの間に形成され前記ランプホルダーと結合され前記ランプアセンブリを固定し、一部は前記ボトムシャーシと結合され前記ランプから発生される熱を放出するための放熱部材を具備するバックライトアセンブリと、
前記バックライトアセンブリの上部に取り付けられ前記バックライトアセンブリから供給される光を用いて映像を表示するディスプレイユニットと、
前記ディスプレイユニットを前記バックライトアセンブリに固定するためのトップシャーシと、
を含む液晶表示装置。
【請求項２２】
前記ディスプレイユニットは、
上部基板、前記上部基板と対向して結合された下部基板、及び前記上部基板と前記下部基板との間に介在される液晶層で構成されて映像を表示する液晶表示パネルと、
前記液晶表示パネルを駆動するための駆動信号を前記液晶表示パネルに印加するための駆動印刷回路基板と、
を含むことを特徴とする請求項２１記載の液晶表示装置。
【請求項２３】
前記ランプホルダーは、
前記ボトムシャーシとの結合のための第１結合溝と、前記放熱部材との結合のための第２結合溝とが形成されたことを特徴とする請求項２１記載の液晶表示装置。
【請求項２４】
前記ボトムシャーシは、底面及び前記底面から延長された側壁で構成され、前記底面から延長され前記第１結合溝と結合される第１突出部を更に含むことを特徴とする請求項２３記載の液晶表示装置。
【請求項２５】
前記放熱部材は、
前記第２結合溝と結合される第２突出部が形成された第１放熱部と、
前記第１放熱部から延長され、前記ボトムシャーシの前記ランプホルダーが隣接して配置される第１及び第２側壁と接触する第２放熱部と、
を含むことを特徴とする請求項２４記載の液晶表示装置。
【請求項２６】
前記バックライトアセンブリは、
前記第１収納部材に取り付けられる光学部材と、
前記光学部材を固定し、前記ディスプレイユニットの収納をガイドする第２収納部材と、を更に含むことを特徴とする請求項２１記載の液晶表示装置。
【請求項２７】
前記第１収納部材は、空気の通風のために形成された第１流路を更に含むことを特徴とする請求項２６記載の液晶表示装置。
【請求項２８】
前記ランプホルダーは、空気の通風のために前記第１流路の位置に対応して形成された第２流路を更に含むことを特徴とする請求項２７記載の液晶表示装置。
【請求項２９】
前記第１収納部材は、
前記光学部材の流動を防止するための第１ボスと、
前記トップシャーシを支持するための第２ボスと、
を更に含むことを特徴とする請求項２６記載の液晶表示装置。
【請求項３０】
前記第２収納部材は、前記第２ボスが通過する貫通口が形成されたことを特徴とする請求項２９記載の液晶表示装置。
【請求項３１】
前記ランプホルダーは複数であり、前記各ランプホルダーには、２個以上のランプ電極部が結合されることを特徴とする請求項２１記載の液晶表示装置。
【請求項３２】
前記ボトムシャーシは、底面及び前記底面から延長される側壁で構成され、前記底面には、前記各ランプホルダーと対応して第１開口部が形成され、前記側壁のうち、前記ランプホルダーが隣接して配置される側壁には、前記各ランプホルダーと対応して第２開口部が形成されることを特徴とする請求項３１記載の液晶表示装置。
【発明の詳細な説明】
【技術分野】
【０００１】
本発明は、バックライトアセンブリ及びこれを有する液晶表示装置に関し、より詳細には、ランプ実装の作業性を向上させ、ランプから発生する熱を容易に放出してディスプレイ品質を向上させるためのバックライトアセンブリ及びこれを有する液晶表示装置に関するものである。
【背景技術】
【０００２】
最近、情報処理機器は、多様な形態、多様な機能に対応するとともに、情報処理速度がより速くなるように、急速に発展している。このような情報処理装置で処理された情報は、電気的な信号形態を有する。従って、ユーザは情報処理装置で処理された情報を目で確認するために、ディスプレイ装置を必要とする。
【０００３】
このようなディスプレイ装置のうち、液晶表示装置（Ｌｉｑｕｉｄ  Ｃｒｙｓｔａｌ  Ｄｉｓｐｌａｙ）は、液晶を用いて映像をディスプレイする平板表示装置の１つであって、他のディスプレイ装置に対して薄く軽く、低い消費電力及び低い駆動電圧を有する長所があるため、産業全般にかけて広範囲に用いられている。
【０００４】
このような液晶表示装置は、映像を表示するための液晶表示パネルと、液晶表示パネルに光を提供するためのバックライトアセンブリで構成される。
【０００５】
バックライトアセンブリは、光を発生するランプの設置位置に応じてエッジ方式と直下方式とに区分される。
【０００６】
エッジ方式は、導光板（Ｌｉｇｈｔ  Ｇｕｉｄｅ  Ｐａｎｅｌ、ＬＧＰ）の側面にランプが配置される。このようなエッジ方式は、比較的サイズが小さい液晶表示装置に適用され、液晶表示装置の薄型化に有利である。
【０００７】
直下方式は、液晶表示パネルの下部に複数のランプが並列に配置される。このような直下方式は、複数のランプから発生された光が液晶表示パネルに直接的に供給されるので、高輝度を要求する大画面液晶表示装置に主に用いられる。
【０００８】
しかし、直下方式のバックライトアセンブリが適用された大型液晶表示装置の場合、液晶表示パネルの下部に配列された複数のランプから多くの熱が発生して、収納容器の内部温度が上昇し、これによって液晶表示パネルの液晶が劣化する、ランプの発光効率が低下する等の液晶表示装置の表示品質が低下する問題点を有する。
【発明の開示】
【発明が解決しようとする課題】
【０００９】
従って、本発明はこのような従来の問題点を勘案したものであって、本発明の目的は、ランプの実装性を向上させ、ランプから発生される熱に対する放熱効率を向上させることができるバックライトアセンブリを提供することにある。
【００１０】
本発明の他の目的は、ランプの実装性及び放熱効率を向上させることができるバックライトアセンブリを有する液晶表示装置を提供することにある。
【課題を解決するための手段】
【００１１】
前述した本発明の目的を達成するためのバックライトアセンブリは、光を供給するランプアセンブリ、ランプアセンブリを収納するボトムシャーシ、及びランプアセンブリから発生した熱を放出するための放熱部材を含む。
【００１２】
前記ランプユニットは、光を発生する複数のランプ及び前記複数のランプの両端部に結合されるランプホルダー部で構成される。
【００１３】
前記ボトムシャーシは、底面及び前記底面から延長された第１〜第４側壁で構成され、前記ランプホルダー部との結合により前記ランプアセンブリを収納する。この際、前記ランプホルダー部は、前記第１〜第４側壁のうち、互いに向かい合う第１及び第２側壁に収納される。
【００１４】
前記放熱部材は、前記ランプホルダー部と結合されて前記ランプアセンブリを固定し、一部は前記ボトムシャーシと結合されて前記ランプから発生される熱を外部に放出する。
【００１５】
また、本発明の他の目的を達成するための液晶表示装置は、光を供給するバックライトアセンブリ、映像を表示するディスプレイユニット、及び前記ディスプレイユニットを固定するためのトップシャーシを含む。
【００１６】
前記バックライトアセンブリは、光を発生する複数のランプ及び前記複数のランプの両端部に結合されるランプホルダーで構成されるランプアセンブリを具備する。また、前記バックライトアセンブリは、前記ランプホルダーとの結合により前記ランプアセンブリを収納するボトムシャーシ及び前記ランプホルダーと結合されて前記ランプアセンブリを固定し、一部は前記ボトムシャーシと結合されて前記ランプから発生される熱を放出する放熱部材を含む。
【００１７】
前記ディスプレイユニットは、前記バックライトアセンブリの上部に取り付けられて前記バックライトアセンブリから供給される光を用いて映像を表示する液晶表示パネル、及び前記液晶表示パネルを駆動するための駆動信号を前記液晶表示パネルに印加する駆動印刷回路基板を含む。
【００１８】
このようなバックライトアセンブリ及びこれを有する液晶表示装置によると、ランプを固定するランプホルダーをボトムシャーシに直接収納することにより、ランプアセンブリの実装性を向上させ、ランプから発生される熱に対する放熱効率を向上させてディスプレイ品質を向上させることができる。
【発明を実施するための最良の形態】
【００１９】
以下、添付図面を参照して、本発明の好ましい実施例をより詳細に説明する。
【００２０】
図１は、本発明の一実施例による液晶表示装置を図示した分解斜視図である。
【００２１】
図１を参照すると、本発明の１実施例による液晶表示装置１０００は、映像を表示する液晶表示パネル１１０を含むディスプレイユニット１００、ディスプレイユニット１００に光を提供するバックライトアセンブリ８００、及びディスプレイユニット１００をバックライトアセンブリ８００に固定するためのトップシャーシ９００を含む。
【００２２】
ディスプレイユニット１００は、映像を表示するための液晶表示パネル１１０、液晶表示パネル１１０を駆動するための駆動信号を提供するデータ及びゲート印刷回路基板１２０、１３０で構成される。この際、データ及びゲート印刷回路基板１２０、１３０は、データテープキャリヤーパッケージ（ＴａｐｅＣａｒｒｉｅｒ Ｐａｃｋａｇｅ：以下、ＴＣＰ）１４０及びゲートＴＣＰ１５０を通じて液晶表示パネル１１０と電気的に連結される。
【００２３】
液晶表示パネル１１０は、薄膜トランジスタ（Ｔｈｉｎ Ｆｉｌｍ Ｔｒａｎｓｉｓｔｏｒ：以下、ＴＦＴ）基板１１２、ＴＦＴ基板１１２と対向して結合されるカラーフィルター基板１１４、及び２つの基板１１２、１１４との間に介在する液晶層（図示せず）を含む。
【００２４】
ＴＦＴ基板１１２は、スイッチング素子であるＴＦＴ（図示せず）がマトリックス形態に形成された透明なガラス基板である。ＴＦＴのソース及びゲート端子には、それぞれデータ及びゲートラインが連結され、ドレーン端子には、透明な導電性材質からなる画素電極（図示せず）が連結される。
【００２５】
カラーフィルター基板１１４は、色画素であるＲＧＢ画素（図示せず）が薄膜工程により形成された基板である。カラーフィルター基板１１４の全面には、透明な導電性材質からなる共通電極（図示せず）が塗布される。
【００２６】
このような構成を有するディスプレイユニット１００の下部には、ディスプレイユニット１００に光を提供するためのバックライトアセンブリ８００が設けられる。
【００２７】
バックライトアセンブリ８００は、光を発生するランプアセンブリ２００、ランプアセンブリ２００を収納するボトムシャーシ３００、及び熱を放出するための放熱部材４００を含む。
【００２８】
ランプアセンブリ２００は、光を発生する複数のランプ２１０及び複数のランプ２１０の両端部に結合されてランプ２１０を固定するランプホルダー２２０で構成される。複数のランプ２１０の両端部にそれぞれ１つずつのランプホルダー２２０を配置して、複数のランプ２１０を一括して固定するように構成することが可能であるが、２個のランプ２１０に対して１つのランプホルダー２２０が対応するように、多数のランプホルダー２２０を設けることができる。
【００２９】
ボトムシャーシ３００は、底面及び底面から延長された４個の側壁で構成され収納空間を形成し、４個の側壁のうち、互いに向かい合う２個の側壁にランプホルダー２２０が固定され、ランプ２１０の両端部を収納する。
【００３０】
放熱部材４００は、ランプホルダー２２０の上部に結合されランプアセンブリ２００を固定する。また、放熱部材４００は、ボトムシャーシ３００と結合され、複数のランプ２１０から発生する熱を、ボトムシャーシ３００を通じて外部に放出する役割を行う。
【００３１】
また、バックライトアセンブリ８００は、ランプホルダー２２０と放熱部材４００をカバーする第１収納部材５００、第１収納部材５００の上部に取り付けられる光学部材６００、及び光学部材６００を固定する第２収納部材７００を更に含む。
【００３２】
第１収納部材５００はミドルモールドであり、ランプホルダー２２０の上部面及び内側面をカバーする。このような第１収納部材５００の上部には、光学部材６００が取り付けられる。
【００３３】
光学部材６００は、拡散板６１０及び少なくとも１枚の光学シート６２０で構成され、複数のランプ２１０から発生した光の輝度均一性及び正面輝度を向上させる役割を行う。この際、少なくとも１枚の光学シート６２０は、光を拡散させる拡散シートまたは光を集光させるプリズムシートを含む。
【００３４】
第２収納部材７００はミドルシャーシであり、第１収納部材５００に取り付けられた光学部材６００を固定するために、ボトムシャーシ３００の側壁と結合される。このような第２収納部材７００の上部には、液晶表示パネル１１０が取り付けられる。
【００３５】
また、バックライトアセンブリ８００は、ボトムシャーシ３００の底面上に実装され、ランプ２１０から発生した光を光学部材６００方向に反射するための反射板６３０を更に含むことができる。
【００３６】
このような構成を有する本発明の１実施例によるバックライトアセンブリについて、図面を参照してより具体的に説明する。
【００３７】
図２は、図１に図示されたランプアセンブリを具体的に示す斜視図であり、図３は、図２のランプホルダーをより具体的に示す斜視図であり、図４は、図３のI-I'に沿って切断した断面図である。
【００３８】
図２〜図４を参照すると、ランプアセンブリ２００は、光を発生するランプ２１０及びランプ２１０の両端部に結合されるランプホルダー２２０を含む。
【００３９】
ランプ２１０は、棒形状に形成された冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）であり、両端部に形成された電極部は、ランプホルダー２２０に挿入される。この際、電極部と連結されランプ２１０にランプ駆動電圧を印加するためのランプ電極線２１２は、ランプホルダー２２０のランプ２１０が挿入された面の反対面または底面を通じて引出される。
【００４０】
ランプホルダー２２０は直六面体形状を有し、ゴムまたはシリコン材質からなる。ランプホルダー２２０の内側面には、ランプ２１０が挿入される挿入口２２２が形成される。この際、挿入口２２２は、１つのランプホルダー２２０に固定されるランプ２１０の数だけ形成され、本実施例では、１つのランプホルダー２２０には、２個の挿入口２２２が形成され２個のランプ２１０が実装される。
【００４１】
また、ランプホルダー２２０の底面には、ボトムシャーシ３００との結合のための第１結合溝２２４が形成される。第１結合溝２２４は、ランプホルダー２２０の底面から所定の深さだけ凹んで形成され、ランプホルダー２２０の外側面と挿入口２２２との間に形成される。
【００４２】
ランプホルダー２２０の上部面には、放熱部材４００との結合のための第２結合溝２２６が形成される。第２結合溝２２６は、ランプホルダー２２０の上部面から所定深さだけ凹んで形成され、挿入口２２２を挟んで第１結合溝２２４と向かい合うように形成される。
【００４３】
一方、ランプホルダー２２０の上部面には、空気の流れのための第２流路２２８が更に形成される。第２流路２２８は、上部面に形成された２個の第２結合溝２２６との間に形成される。
【００４４】
図５は、図１に図示されたボトムシャーシを具体的に示す斜視図である。
【００４５】
図５に示すように、ボトムシャーシ３００は、底面３１０と底面３１０から延長された第１〜第４側壁３２０、３３０、３４０、３５０で構成される。第１〜第４側壁３２０、３３０、３４０、３５０のうち、互いに向かい合う第１及び第２側壁３２０、３３０にはランプホルダー２２０が収納される。
【００４６】
具体的に、第１及び第２側壁３２０、３３０と隣接した底面３１０には、ランプホルダー２２０の第１結合溝２２４と結合されランプホルダー２２０を固定するための第１突出部３６０が形成される。また、底面３１０のうち、ランプホルダー２２０が収納される位置には、ランプホルダー２２０の底面が露出されるように第１開口部３７０が形成される。
【００４７】
一方、ボトムシャーシ３００の堅固性を向上させるために、第１〜第４側壁３２０、３３０、３４０、３５０のうち、ランプホルダー２２０が収納される第１及び第２側壁３２０、３３０は、底面３１０から延長された第１側面３２２、第１側面３２２から延長され底面３１０と平行な上部面３２４及び上部面３２４から延長され第１側面３２２と向かい合う第２側面３２６で構成される。
【００４８】
また、第１側面３２２には、ランプホルダー２２０の収納位置に対応して第２開口部３８０が形成され、第２開口部３８０によりランプホルダー２２０の外側面は外部に露出される。この際、第２開口部３８０は、第１開口部３７０と連結して形成することができる。
【００４９】
図６は、図１に図示された放熱部材を具体的に示す斜視図である。
【００５０】
図３〜図６に示すように、放熱部材４００は、ランプホルダー２２０と結合される第１放熱部４１０及びボトムシャーシ３００と結合される第２放熱部４２０で構成される。
【００５１】
第１放熱部４１０は、ランプホルダー２２０との結合のための第２突出部４１２を有する。第２突出部４１２は、ランプホルダー２２０の第２結合溝２２６に挿入され結合される。また、第１放熱部４１０には、空気の流れのための第２通風口４１４が形成される。この際、第２通風口４１４は、ランプホルダー２２０の第２流路２２８の位置に対応して形成される。
【００５２】
第２放熱部４２０は、第１放熱部４１０から延長されボトムシャーシ３００の第１側壁３２０または第２側壁３３０と結合される。具体的に、第２放熱部４２０は、第１放熱部４１０から延長された第１放熱板４２２及び第１放熱板４２２から延長された第２放熱板４２４で構成される。この際、第１放熱板４２２は、ボトムシャーシ３００の第１側面３２２と接触し、第２放熱板４２４は、ボトムシャーシ３００の上部面３２４と接触する。
【００５３】
このような構成を有する放熱部材４００は、ねじ締結等の方式でボトムシャーシ３００と結合され、ランプホルダー２２０を固定すると同時に、ランプ２１０から発生する熱を、ボトムシャーシ３００を通じて放出する役割を行う。
【００５４】
図７は、図１に図示された第１収納部材を具体的に示す斜視図であり、図８は、図１に示された第２収納部材を具体的に示す斜視図である。
【００５５】
図７及び図８を参照すると、第１収納部材５００は、ランプホルダー２２０の内側面をカバーする第１カバー面５１０、及び第１カバー面５１０から延長されてランプホルダー２２０の上部面をカバーする第２カバー面５２０で構成される。
【００５６】
第１カバー面５１０は、ランプ２１０の発光領域及び非発光領域を区分し、ランプ２１０が挿入されることができる収納溝５１２が形成される。
【００５７】
第２カバー面５２０は、ボトムシャーシ３００の上部面３２４に第２放熱板４２４を挟んで取り付けられる。第２カバー面５２０には、空気の流れのために一定の高さだけ陥没した第１流路５３０が形成される。第１流路５３０は、ランプ２１０の間に位置する。
【００５８】
即ち、第１流路５３０は、放熱部材４００に形成された第２通風口４１４と対応する位置に形成され、第１カバー面５１０から一定距離だけ延長され形成される。また、第１流路５３０の端には、空気の流れのための第１通風口５３２が形成される。
【００５９】
一方、第２カバー面５２０には、多数の光学部材６００が取り付けられる。第２カバー面５２０に取り付けられる多数の光学部材６００の移動を防止するために、第２カバー面５２０には、第１ボス５４０が形成される。また、第２カバー面５２０には、光学部材６００を固定するための第２収納部材７００の収納位置をガイドし、トップシャーシ９００を支持するための第２ボス５５０が更に形成される。
【００６０】
第２収納部材７００は、第１収納部材５００に取り付けられた光学部材６００のエッジ部分を加圧する方式で光学部材６００を固定する。また、第２収納部材７００の上面には、液晶表示パネル１１０の実装位置をガイドするための段部を形成することができ、前記第２ボス５５０との結合のための貫通孔７１０が形成される。
【００６１】
図９は、図１に図示されたバックライトアセンブリの結合関係を具体的に示す部分斜視図であり、図１０は、図９のII-II'に沿って切断した断面図である。
【００６２】
図９及び図１０を参照すると、ボトムシャーシ３００には、２個のランプ２１０が１つのランプホルダー２２０に挿入された複数のランプアセンブリ２００が収納される。この際、ランプホルダー２２０は、第２結合溝２２６と第１突出部３６０の結合によりボトムシャーシ３００に固定される。
【００６３】
ボトムシャーシ３００に収納されたランプホルダー２２０の上部には、ランプ２１０から発生する熱を放出するための放熱部材４００が配置される。放熱部材４００は、第２結合溝２２６と第２突出部４１２の結合によりランプホルダー２２０を固定する。
【００６４】
また、放熱部材４００の第１及び第２放熱板４２２、４２４は、ボトムシャーシ３００と接触してランプ２１０から発生する熱を、ボトムシャーシ３００に伝達する役割を行う。また、ランプホルダー２２０が収納されるボトムシャーシ３００の底面３１０及び第１及び第２側壁３２０、３３０には、第１及び第２開口部３７０、３８０が更に形成され、ランプ２１０から発生する熱を直接外部に放出して放熱効率を向上させることができる。
【００６５】
一方、ボトムシャーシ３００の第１〜第４側壁３２０、３３０、３４０、３５０のうち、ランプホルダー２２０が収納される第１及び第２側壁３２０、３３０と直交する第３及び第４側壁３４０、３５０には、第１収納部材５００と同じ高さで形成され、多数の光学部材６００を支持するための支持部材（図示せず）を更に実装することができる。
【００６６】
このように、本発明の１実施例によるバックライトアセンブリ８００は、放熱部材４００を用いてランプ２１０から発生する熱を放出すること以外にも、空気の対流を用いてランプ２１０から発生する熱に対する放熱効率を向上させることができる。
【００６７】
図１１は、図１のIII-III'に沿って切断した断面図であって、バックライトアセンブリの内部に存在する空気の放出経路を示す図である。
【００６８】
図１１に示すように、本発明の１実施例によるバックライトアセンブリ８００は、ランプ２１０から発生した熱が外部に放出されるように空気の出入が可能な通路を有する。
【００６９】
具体的に、バックライトアセンブリ８００の内部に存在する空気は、ランプ２１０から発生した熱により温度が上昇する。このように温度が上昇した空気は、第１収納部材５００に形成された第１流路５３０及び第１通風口５３２を通じてランプホルダー２２０側に放出される。以後、放熱部材４００に形成された第２通風口４１４及びランプホルダー２２０に形成された第２流路２２８を通じてバックライトアセンブリ８００の外部に放出される。
【００７０】
反面、バックライトアセンブリ８００の外部に存在する冷たい空気は、内部空気が外部に放出される経路と反対の経路を通じてバックライトアセンブリ８００の内部に流入する。
【００７１】
このように、バックライトアセンブリ８００の内部と外部に存在するそれぞれの空気が互いに出入できる空気の通路を有することにより、バックライトアセンブリ８００の内部の温度を低下することができる。
【００７２】
一方、空気通路は、図１および図１１に示すように、液晶表示装置１０００の左右両側に形成されているが、液晶表示装置１０００の上下に位置して形成することもできる。
【００７３】
このような場合、バックライトアセンブリ８００の内部に存在する加熱された空気は、上部に位置する空気通路を通じて外部に放出され、バックライトアセンブリ８００の外部に存在する冷たい空気は、下部に位置した空気通路を通じてバックライトアセンブリ８００の内部に流入する。従って、ランプアセンブリ２００を縦方向に実装する場合、放熱効率を更に向上することができる。
【産業上の利用可能性】
【００７４】
このようなバックライトアセンブリ及びこれを有する液晶表示装置によると、ランプの両端部を固定するランプホルダーがボトムシャーシに直接収納され、ランプホルダーの上部には、熱放出のための放熱部材が結合されることにより、ランプアセンブリの組立性を向上させ、ランプから発生される熱に対する放熱効率を向上することができる。
【００７５】
また、バックライトアセンブリの内部と外部に存在するそれぞれの空気が互いに出入できる空気通路を形成することにより、放熱効率を更に向上することができる。
【００７６】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００７７】
【図１】本発明の一実施例による液晶表示装置を図示した分解斜視図である。
【図２】図１に図示されたランプアセンブリを具体的に示す斜視図である。
【図３】図２のランプホルダーをより具体的に示す斜視図である。
【図４】図３のI-I'に沿って切断した断面図である。
【図５】図１に図示されたボトムシャーシを具体的に示す斜視図である。
【図６】図１に図示された放熱部材を具体的に示す斜視図である。
【図７】図１に図示された第１収納部材を具体的に示す斜視図である。
【図８】図１に図示された第２収納部材を具体的に示す斜視図である。
【図９】図１に図示されたバックライトアセンブリの結合関係を具体的に示す部分斜視図である。
【図１０】図９のII-II'に沿って切断した断面図である。
【図１１】図１のIII-III'に沿って切断した断面図である。
【符号の説明】
【００７８】
１００    ディスプレイユニット
１１０    液晶表示パネル
１１２    ＴＦＴ基板
１１４    カラーフィルター基板
１２０    データ印刷回路基板
１３０    ゲート印刷回路基板
１４０    データＴＣＰ
１５０    ゲートＴＣＰ
２００    ランプアセンブリ
２１０    ランプ
２１２    ランプ電極線
２２０    ランプホルダー
２２２    挿入口
２２４    第１結合溝
２２６    第２結合溝
２２８    第２流路
３００    ボトムシャーシ
３１０    底面
３２０    第１側壁
３３０    第２側壁
３４０    第３側壁
３５０    第４側壁
３６０    第１突出部
３７０    第１開口部
３８０    第２開口部
４００    放熱部材
４１０    第１放熱部
４１２    第２突出部
４１４    第２通風口
４２０    第２放熱部
４２２    第１放熱板
４２４    第２放熱板
５００    第１収納部材
５１０    第１カバー面
５１２    収納溝
５２０    第２カバー面
６００    光学部材
６１０    拡散板
６２０    光学シート
６３０    反射板
７００    第２収納部材
８００    バックライトアセンブリ
９００    トップシャーシ
１０００    液晶表示装置
【図１】
0004689219.tif 000002
【図２】
0004689219.tif 000003
【図３】
0004689219.tif 000004
【図４】
0004689219.tif 000005
【図５】
0004689219.tif 000006
【図６】
0004689219.tif 000007
【図７】
0004689219.tif 000008
【図８】
0004689219.tif 000009
【図９】
0004689219.tif 000010
【図１０】
0004689219.tif 000011
【図１１】
0004689219.tif 000012